(57)【要約】【目的】基板に不正な細工がなされていないかどうかの目視点検が容易であって、且つ、保安性に優れた基板ケース構造の提供を目的とする。【構成】基板はその１辺の近傍においてハーネス接続部を有する。基板ケースはハーネスをその内部に収納するハーネス収納空間を有する。また、基板ケースは前述のハーネス接続部近傍の基板の１辺とは異なる基板の１辺の近傍においてハーネス挿入開口を有する。更に、基板ケースは前述のハーネス接続部近傍の基板の１辺近傍にハーネス係止手段を有するとともに、ハーネス収納空間がケースの側壁及び基板の周囲の一部に沿って延在してハーネス係止手段とハーネス挿入開口とを結んでいることを特徴とする。【選択図】図３
2006198220.tif 000002
【特許請求の範囲】
【請求項１】
矩形の基板とこれを囲繞するケースとからなる基板ケース構造であって、
前記基板はその１辺の近傍において前記基板と前記ケースの外部の外部基板とを電気的に接続するハーネスの一端部を固定するハーネス接続部を有し、
前記ケースは、前記ハーネスをその内部に収納するためのハーネス収納空間と、前記基板の前記１辺と異なる１辺の近傍において前記ハーネスを前記ケースの外部へと導くためのハーネス挿入開口と、を有し、更に、前記ケースは前記基板の前記１辺の近傍において前記ハーネス収納空間へと前記ハーネスを導くハーネス係止手段を有し、前記ハーネス収納空間が前記ケースの側壁及び前記基板の周囲の一部に沿って延在して前記ハーネス係止手段と前記ハーネス挿入開口とを結んでいることを特徴とする基板ケース構造。
【請求項２】
前記ハーネス収納空間は前記ケース内部において前記ケースの側壁に沿って対向して延在するハーネス係止壁によって前記基板の基板収納空間と隔てられ、前記ハーネス係止手段は前記ハーネス係止壁に形成された前記ハーネス収納空間と前記基板収納空間とを結ぶ取り去り部であることを特徴とする請求項１記載の基板ケース構造。
【請求項３】
前記ハーネス係止壁は前記取り去り部の外形に合わせてその厚さを減じた切り取り溝を有することを特徴とする請求項２記載の基板ケース構造。
【請求項４】
前記ハーネス係止手段は少なくとも１つの板状片であって、前記ケースの側壁に対向して設けられていることを特徴とする請求項１記載の基板ケース構造。
【請求項５】
前記ハーネス係止手段は前記ケースの側壁近傍に設けられた少なくとも１つの棒状体であることを特徴とする請求項１記載の基板ケース構造。
【請求項６】
前記板状体又は棒状体は一定間隔で複数個設けられていることを特徴とする請求項４又は５記載の基板ケース構造。
【発明の詳細な説明】
【技術分野】
【０００１】
本発明は、スロットマシンやパチンコ機等の遊技機の内部に基板を収納するための基板ケースの構造に関する。
【背景技術】
【０００２】
スロットマシンやパチンコ機などの遊技機の内部には、遊技動作を制御するためのメイン基板や、メイン基板から受けた信号に従って遊技表示画面の図柄の制御を行ったりランプの制御を行ったりするサブ基板などが収納されている。ところで、遊技機業界特有の事情として、これらメイン基板及びサブ基板などを不正に細工して遊技機の動作を不正に操作しようとする行為に対する対策が必要とされている。これに対して、例えば、メイン基板及びサブ基板を個々に基板ケースの内部に収納して、基板ケースの外部からその内部の基板に直接、接触できない構造にするなどの対策が施されている。
【０００３】
一方で、基板ケースを何等かの方法で開いて、メイン基板及びサブ基板上のＲＯＭなどを不正なものと交換したり、不正情報信号を送り込むための小型基板（装置）などを基板上の回路間に接続するなどの巧妙な不正も行われ得るのである。かかる場合、基板ケースを元通りに閉められてしまうと、不正を長期に亘り発見することが困難であって、非常に大きな問題となっていた。
【発明の開示】
【発明が解決しようとする課題】
【０００４】
メイン基板及びサブ基板は互いに分離独立して設けられているためにこれらの基板の間はワイヤーハーネスによって電気的に接続される。このワイヤーハーネスが基板ケース内を基板上に亘って引き回されていると、基板に不正な細工がなされていないかどうかを目視点検するための視界の妨げとなるのである。また、特に、ワイヤーハーネスがフラットケーブルの如き幅を有するハーネスである場合、基板の目視点検が一層困難となるのである。
【０００５】
本発明は上記の如き事情を鑑みてなされたものであって、基板に不正な細工がなされていないかどうかの目視点検が容易であって、且つ、保安性に優れた基板ケース構造の提供を目的としている。
【発明を解決するための手段】
【０００６】
本発明による基板ケース構造は、矩形の基板とこれを囲繞するケースとからなる基板ケース構造であって、前記基板はその１辺の近傍において前記基板と前記ケースの外部の外部基板とを電気的に接続するハーネスの一端部を固定するハーネス接続部を有し、前記ケースは、前記ハーネスをその内部に収納するためのハーネス収納空間と、前記基板の前記１辺と異なる１辺の近傍において前記ハーネスを前記ケースの外部へと導くためのハーネス挿入開口と、を有し、更に、前記ケースは前記基板の前記１辺の近傍において前記ハーネス収納空間へと前記ハーネスを導くハーネス係止手段を有し、前記ハーネス収納空間が前記ケースの側壁及び前記基板の周囲の一部に沿って延在して前記ハーネス係止手段と前記ハーネス挿入開口とを結んでいることを特徴とする。
【発明を実施するための形態】
【０００７】
本発明の１つの実施例による基板ケース１０及びその付属物について構造を説明する。
【０００８】
図１に示すように、基板ケース１０は、一対の上ケース半体２１と下ケース半体３１とからなる箱体である。基板ケース１０は透明な樹脂の如きからなり、基板ケース１０の外部からその内部を目視点検できるようになっている。上ケース半体２１は、下ケース半体３１の上からこれに覆い被さって一組の基板ケース１０をなす。基板４１は、上ケース半体２１及び下ケース半体３１の間に挟み込まれるように囲繞されて箱の内部の基板収納空間４１ａ（図３参照）に収納されている。基板４１と、基板ケース１０の外側にある外部基板（例えば、基板４１がサブ基板である場合にあってはメイン基板など。図示せず。）とを電気的に接続するための単数又は複数のワイヤーハーネス５１が基板ケース１０の外側へ上ケース半体２１及び下ケース半体３１の間（ハーネス挿入開口、詳細は後述する。）から引き出される。
【０００９】
更に詳細には、図１乃至図４に示すように、上ケース半体２１は、矩形、特に略長方形の上板２１ａ及び上板２１ａの周縁部から連続して垂下して形成された４つの連続した略長方形の側面板２１ｂ１、２１ｂ２、２１ｂ３（図示せず）及び２１ｂ４からなる透明な樹脂の一体成形体である。
【００１０】
なお、以下において、側面板２１ｂ１の長手方向を紙面に向かって左から右にＸ軸、側面板２１ｂ２の長手方向を紙面に向かって左から右にＹ軸、側面板２１ｂ１の高さ方向を紙面に向かって下から上にＺ軸とする各座標軸を定義する。
【００１１】
側面板２１ｂ１の垂下端部の中央部近傍、すなわち−Ｚ方向端部の中央部近傍には、上ケース半体側ハーネス引出口２２が形成されている。上ケース半体側ハーネス引出口２２は、開口部を−Ｚ方向へ向けた略矩形の切り取り部である。
【００１２】
互いに対向する側面板２１ｂ２及び２１ｂ４の−Ｚ方向端部には、＋Ｙ方向に離間した位置に２つの切り欠き２３をそれぞれ有している。４つの切り欠き２３（図１及び２では、２つのみを図示している）は、開口部を−Ｚ方向に向けた略矩形の切り欠きである。切り欠き２３の近傍には、上ケース半体２１を下ケース半体３１に固定するためのねじ穴２４が形成されている。
【００１３】
下ケース半体３１は、略長方形の下板３１ａと、下板３１ａの端部から連続的に＋Ｚ方向に垂直に立ち上がって形成された４つの連続した略長方形の側面板（側壁）３１ｂ１、３１ｂ２、３１ｂ３（図示せず）及び３１ｂ４とからなる透明な樹脂の一体成形体である。側面板３１ｂ１の＋Ｚ方向端部には開口部を＋Ｚ方向に向けた切り取り部である下ケース半体側ハーネス引出口３２が形成されている。側面板３１ｂ１、３１ｂ２、３１ｂ３及び３１ｂ４の内側には、これに対向してハーネス係止板３３が下板３１ａ上に一体に成形されている。ハーネス係止板３３には開口部を＋Ｚ方向に向けた取り去り部であるハーネス係止手段としてのハーネス係止部３４が形成されている。ハーネス係止部３４は、後述するように、基板４１上のコネクタ４３及び４３’の位置に対応して形成されている。
【００１４】
ここで、特に図４に示すように、ハーネス係止板３３にはあらかじめ一定間隔で切り取り溝３４’を形成してある。切り取り溝３４’はハーネス係止部３４の外形に沿った形状にハーネス係止板３３の厚さを減じた溝である。基板４１上のコネクタ４３及び４３’の位置に合わせて切り取り溝３４’に沿ってハーネス係止板３３の一部を取り除いてハーネス係止部３４を形成することができるのである。これにより基板ケース１０をコネクタ４３及び４３’の位置の異なる基板についても用いることが出来て、基板ケース１０の汎用性を高めることが出来るのである。ハーネス係止部３４の幅は、ワイヤーハーネス５１が通過できる間隔であって、好ましくは、ワイヤーハーネス５１がフラットケーブルの如きにあっては、フラットケーブルを下板３３に対してほぼ垂直に保持できるような間隔に設定される。ここで、側面板３１ｂ１、３１ｂ２、３１ｂ３及び３１ｂ４とハーネス係止板３３との間の回廊状の空間をハーネス収納空間３５と定義する。
【００１５】
側面板３１ｂ２及び３１ｂ４には、それぞれ＋Ｘ方向及び−Ｘ方向に伸張する固定突起３６がそれぞれＹ方向に離間した位置に２つずつ形成されている。固定突起３６の中央には図示しない遊技機の内部に基板ケース１０を取り付けるための貫通穴が形成されている。固定突起３６の＋Ｚ方向近傍には上ケース半体２１を下ケース半体３１に固定するためのねじ穴３７が形成されている。下板３１ａには、基板４１を固定するための基板取り付け用突起３８が立設されている。
【００１６】
基板４１は、略長方形の板状体である。４つの角部近傍には基板４１をねじで下ケース半体３１に固定するためのねじ穴４２が形成されている。基板４１上には、コネクタ４３及び４３’が植設されている。
【００１７】
ワイヤーハーネス５１は、基板４１上のコネクタ４３（ハーネス接続部）に嵌合自在であるコネクタ５２をその一端部に有する。また、他端部には例えば、図示しないメイン基板上に植設されたコネクタに嵌合自在なコネクタ５３を有する。また、リード線としてのワイヤーハーネス５１’は、基板４１上の２点間を電気的に接続する。ワイヤーハーネス５１’はコネクタ４３’に嵌合自在であるコネクタ５２’をその両端部に有する。
【００１８】
他の実施例として、複数の板状体をハーネス係止板３３の位置に一定間隔で設置しても良い。隣接する板状体と板状体との間がハーネス係止手段となるのである。かかる場合にあっては、切り取り溝３４’を設けることなく、基板４１上のコネクタ４３及び４３’の位置に最も近い板状体と板状体の間をハーネス５１が通過するのである。かかる板状体は棒状体であっても良い。また、板状体又は棒状体は１つであってもよい。かかる場合はワイヤーハーネス５１は板状体又は棒状体の側部に係止されてハーネス収納空間に導かれるのである。
【００１９】
次に上記した本発明の１つの実施例による基板ケース（ケース）１０の使用方法を図１乃至図４を参照しながら説明する。
【００２０】
下ケース半体３１の基板取り付け用突起３８の上に基板４１のねじ穴４２を合わせてこれを載置して、ねじで基板４１を固定する。ワイヤーハーネス５１及び５１’のコネクタ５２及び５２’をそれぞれ基板４１上のコネクタ４３及び４３’に接続する。ここで、例えばワイヤーハーネス５１及び５１’がフラットケーブルの場合にあっては、ワイヤーハーネス５１及び５１’をひねって、基板４１上に投影されるワイヤーハーネス５１及び５１’の面積がなるべく小さくなるようにする（特に、図３のＡ部を参照）。ワイヤーハーネス５１及び５１’をコネクタ４３及び４３’の最も近くに位置する基板４１の一辺の方向に向けて引き出す（特に、図３のＢ部参照）。ワイヤーハーネス５１及び５１’の基板４１から引き出された位置に最も近接しているハーネス係止板３３の切り取り溝３４’において、溝に沿ってこれを切り取ってハーネス係止部３４を形成する（特に、図３のＣ部及び図４参照）。ワイヤーハーネス５１及び５１’をハーネス係止部３４内を通過させて、ハーネス収納空間３５内にこれを導く。ハーネス係止片３４の幅がハーネス５１及び５１’の幅よりも狭い場合にあっては、ハーネス５１及び５１’が基板４１と略垂直に固定されるので、基板４１上に投影されるハーネス５１及び５１’の面積を小とすることができて更に好ましい。
【００２１】
従来、ワイヤーハーネス５１及び５１’の基板４１への投影面積が大であったため、基板４１上のＲＯＭなどを不正なものと交換したり、不正情報信号を送り込む小型基板（装置）などを基板上の回路間に接続するなどされた場合であっても目視による検査では、ワイヤーハーネス５１及び５１’の陰に隠れてこれらの不正を確認できなかった。一方、本発明による基板ケース構造では基板４１上のハーネス５１の通過領域を少なくすることが出来るので、基板４１上の検査が容易になるのである。
【００２２】
基板ケース１０の外側に引き出すべきワイヤーハーネス５１をハーネス収納空間３５内を通して、下ケース半体側ハーネス引出口３２の手前まで導く。ハーネス５１を捻転させて下ケース半体側ハーネス引出口３２の上を通過させて、コネクタ５３を基板ケース１０の外側に配置する。
【００２３】
次に、上ケース半体２１を下ケース半体３１に覆い被せるように組み合わせる。上ケース半体２１の４つの切り欠き２３の内部には、下ケース半体３１の４つの固定突起３５の１つずつが位置する。このとき、上ケース半体側ハーネス引出口２２は、下ケース半体側ハーネス引出口３２よりも＋Ｚ方向に位置する。故に、上ケース半体側ハーネス引出口２２と下ケース半体側ハーネス引出口３２との間（ハーネス挿入開口）からハーネス５１が基板ケース５１の外側に引き出されるのである。上ケース半体側ハーネス引出口２２と下ケース半体側ハーネス引出口３２との間隔をハーネス５１の厚さに近づけることで、上ケース半体側ハーネス引出口２２とワイヤーハーネス５１との間からピアノ線などの異物を基板ケース１０内に侵入させて基板４１に不正を行うことが出来なくなるのである。また、下ケース半体側ハーネス引出口３２とハーネス５１との間から異物を挿入しようとしても、ハーネス５１が−Ｚ方向に延在している故、異物はハーネス５１によって進路を阻害されるので、基板４１に不正を行うことは出来ないのである。
【００２４】
以上の状態でねじ穴２４にねじ６１を貫挿して上ケース半体２１と下ケース半体３１とが一体に固定される。
【図面の簡単な説明】
【００２５】
【図１】本発明の実施例による基板ケース及び付属物の図である。
【図２】本発明の実施例による基板ケース及び付属物の部分分解図である。
【図３】本発明の実施例による基板ケース及び付属物の立面図である。
【図４】本発明の実施例による要部の図である。
【符号の説明】
【００２６】
１０        基板ケース（ケース）
２１        上ケース半体
２２        下ケース半体側ハーネス引出口
２３        切り欠き
２４        ねじ穴
３１        下ケース半体
３１ｂ１、３１ｂ２、３１ｂ３、３１ｂ４    側面板（側壁）
３２        下ケース半体側ハーネス引出口
３３        ハーネス係止板
３４        ハーネス係止部（ハーネス係止手段）
３４’      切り取り溝
３５        ハーネス収納空間
３６        固定突起
３７        ねじ穴
３８        基板取り付け用突起
４１        基板
４１ａ      基板収納空間
４３、４３’    コネクタ（ハーネス接続部）
５１、５１’    ワイヤーハーネス
５２、５３  コネクタ
【図２】
2006198220.tif 000003
【図３】
2006198220.tif 000004
【図４】
2006198220.tif 000005
【図１】
2006198220.tif 000006